(57)【特許請求の範囲】
【請求項１】
色を表す第１の色信号が入力されて、入力された第１の色信号を、該第１の色信号が表す色に色変換が施されてなる色を表す第２の色信号に信号変換して出力する色信号変換装置において、
前記第１の色信号が、色が三原色に分解されてなる各原色成分の組み合わせによって色を表す信号であって、
入力された第１の色信号が表す色の色相値を測色的に算出し、該色相値と所定の色相値との近さを表す色相強度を算出する色相強度算出部、
入力された第１の色信号が表す色の明度および彩度のうちの少なくとも一方についての目安となる明度彩度値を、前記原色成分相互の大小関係に応じた値として算出する明度彩度値算出部、および
前記所定の色相値に対応付けて設定される色変換係数と、前記色相強度算出部によって算出された色相強度と、前記明度彩度値算出部によって算出された明度彩度値とに応じた変化量だけ色が変化するような色変換に相当する信号変換によって前記第１の色信号を前記第２の色信号に変換する色信号変換部を備えたことを特徴とする色信号変換装置。
【請求項２】
前記第１の色信号は、色がシアン、マゼンタ、およびイエローの三原色に分解されてなる各原色成分の組み合わせによって色を表す信号であって、
前記色信号変換部が、シアン、マゼンタ、およびイエローの三原色で色を表す第１の色信号を、シアン、マゼンタ、イエロー、および黒の四色で色を表す第２の色信号に信号変換するものであることを特徴とする請求項１記載の色信号変換装置。
【請求項３】
相互に異なる色相値を前記所定の色相値として用いて前記色相強度を算出する複数の色強度算出部を備えるとともに、
前記色信号変換部が、前記色変換係数と、前記色相強度と、前記明度彩度値とに応じた変化量を各色方向毎に算出し、各色方向毎に算出された変化量を相互に加算し、その加算結果だけ色が変化するような色変換に相当する信号変換によって前記第１の色信号を前記第２の色信号に変換するものであることを特徴とする請求項１記載の色信号変換装置。
【請求項４】
前記第１の色信号を、ブロック色素の色を三原色として色を表す第３の色信号に変換するブロック色素キャリブレーション部を備え、
前記色相強度算出部が、前記第３の色信号を用いて前記色相値を算出し、該色相値に応じて前記色相強度を算出するものであることを特徴とする請求項１記載の色信号変換装置。
【発明の詳細な説明】
【０００１】
【発明の属する技術分野】
本発明は、色を表す第１の色信号が入力され、入力された第１の色信号を、第１の色信号が表す色に色変換が施されてなる色を表す第２の色信号に信号変換して出力する色信号変換装置に関する。
【０００２】
【従来の技術】
近年、印刷の分野において、例えばリバーサルフィルム上に記録された原稿画像を光電的に読み取ることによりディジタルの色信号を得、得られたディジタルの色信号に対し、印刷物上で所望の色を再現する印刷用の色信号が得られるようにディジタル信号処理を施すことが行なわれている。この場合、原稿画像を先ず粗く読み取ることにより（これをプレスキャンと称する）、原稿の色がシアン（Ｃ）、マゼンタ（Ｍ）、およびイエロー（Ｙ）の三原色に分解された各原色成分の強度の組み合わせからなる色信号を得、得られた色信号に、印刷用の信号を得るための所定の信号処理アルゴリズムに従った信号処理を施して、通常はＣ，Ｍ，およびＹに、さらに黒（Ｋ）を加えた四色分の網％を表す色信号を得、その信号処理アルゴリズムに従った処理が行なわれた後のＣ，Ｍ，Ｙ，Ｋ四色分の色信号に基づく画像を例えばＣＲＴディスプレイ等の表示画面上に表示する。この表示画面上に表示された画像は、オペレータの観察に供される。
【０００３】
この信号処理アルゴリズムは、画像のハイライト（ＨＬ）部分やシャドウ（ＳＨ）部分の濃度を設定するＨＬ／ＳＨ濃度設定や、入力の濃度に対する出力の濃度を定めるトーンカーブの設定や、ＵＣＲ（Ｕｎｄｅｒ  Ｃｏｌｏｒ  Ｒｅｍｏｖａｌ）演算およびＫ版生成演算や、色補正を行なうカラーコレクション演算等から構成された、Ｃ，Ｍ，Ｙ三色の信号からＣ，Ｍ，Ｙ，Ｋ四色の信号を生成するためのアルゴリズムである。また、これらの演算等には、各種のパラメータが設定され、プレスキャンにより得られた色信号には、この信号処理アルゴリズムに基づいて、設定された各種のパラメータに応じた信号処理が施される。
【０００４】
オペレータは、上記のようにして表示画面上に画像が表示されると、その画像を観察しながらその画像の色味等が所望のものになるように信号処理アルゴリズムの各種パラメータを調整する。特にカラーコレクション演算のためのパラメータは、印刷物の色を、「健康な肌色」や「美しい緑」等といった好適な色に変換するために重要なパラメータである。そして、所望の画像が得られると、今度は、オペレータの操作に応じて、基になるリバーサルフィルム上の原稿画像を高分解能で読み取って（これをファインスキャンと称する）色信号を得、その得られた色信号に上記のようにして調整された各種パラメータを用いた信号処理アルゴリズムにより信号処理を施す。その結果得られた信号は画像出力装置に送られ、製版用フィルムへの画像出力が行なわれる。
【０００５】
上記のような処理の流れの中で、プレスキャンにより得られた色信号に信号処理アルゴリズムに基づく信号処理を施しその結果得られた色信号に基づく画像をＣＲＴディスプレイ等の表示画面に表示してオペレータの観察に供した際、オペレータは、「美しい緑」等といった好適な色が再現されるようにカラーコレクション演算用のパラメータを調整する。
【０００６】
この場合に、カラーコレクション演算用のパラメータの数が少なすぎると、カラーコレクション演算による色変換を微妙に調整することが不可能であり、好適な色再現も不可能である。一方、カラーコレクション演算用のパラメータの数が多すぎると、好適な色再現を実現するために複雑な調整操作が必要であり、好適な色再現が困難である。
【０００７】
このため、特開平１−２３７１４４号広報には、カラーコレクション演算用のパラメータとして、色空間内における各所定の複数の色方向それぞれについてのカラーコレクション係数を設定し、それらのカラーコレクション係数を調整することによって複数の色方向それぞれについての色変化量を調整して、好適な色再現を実現する方法が開示されている。
【０００８】
また、特開平９−８３８２４号広報には、オペレータによってカラーコレクション係数が調整されることにより調整される色変化量を、色信号から求められた彩度および明度に応じて加減することにより、好適な色再現を高精度に実現する方法が開示されている。
【０００９】
【発明が解決しようとする課題】
これらの広報に開示されている方法では、Ｃ，Ｍ，Ｙ三色の原色成分相互の大小関係から色相や彩度や明度が求められている。このため、色変化量を印刷用のＣ，Ｍ，Ｙ，Ｋ四色のインクそれぞれの変更量として求めることが容易であって、高精度な色再現が容易に実現されるが、一方では、求められた色相が人の視覚特性とは必ずしも一致しないために、色変化量が調整される色方向が、オペレータの感覚とは微妙に相違することとなり、画像の色を好適な色になかなかうまく調整できず調整に手間取るという問題がある。
【００１０】
本発明は、上記事情に鑑み、好適な色再現をオペレータの調整感覚によくあった調整で容易かつ高精度に実現することができる色信号変換装置を提供することを目的とする。
【００１１】
【課題を解決するための手段】
上記目的を達成する本発明の色信号変換装置は、色を表す第１の色信号が入力されて、入力された第１の色信号を、第１の色信号が表す色に色変換が施されてなる色を表す第２の色信号に信号変換して出力する色信号変換装置において、
第１の色信号が、色が三原色に分解されてなる各原色成分の組み合わせによって色を表す信号であって、
入力された第１の色信号が表す色の、測色的な色相を表す色相値を算出し、その色相値に相当する色方向と所定の色方向との近さを表す色相強度を算出する色相強度算出部、
入力された第１の色信号が表す色の明度および彩度のうちの少なくとも一方についての目安となる明度彩度値を、原色成分相互の大小関係に応じた値として算出する明度彩度値算出部、および
色空間内における所定の色方向について設定される色変換係数と、色相強度算出部によって算出された色相強度と、明度彩度値算出部によって算出された明度彩度値とに応じた変化量だけ色が変化するような色変換に相当する信号変換によって第１の色信号を第２の色信号に変換する色信号変換部を備えたことを特徴とする。
【００１２】
本発明の色信号変換装置によれば、測色的な色相を表す色相値に応じて色相強度が求められ、求められた色相強度と色変換係数とに応じた変化量だけ色が変化することとなるので、色変換係数を調整することによる色変換の調整方向が、オペレータが所望する色方向と一致する。
【００１３】
また、本発明の色信号変換装置では、原色成分相互の大小関係に応じて明度彩度値が求められ、求められた明度彩度値に応じた変化量だけ色が変化することとなるので、彩度や明度を考慮に含めた高精度な色再現が容易に実現される。ここで、明度彩度値算出部が用いる原色成分は、色信号変換装置に入力された第１の色信号を構成する原色成分そのものに限定されるものではなく、入力された第１の色信号を構成する原色成分に対して適宜に修正が施された後の原色成分であってもよい。
【００１４】
結局、本発明の色信号変換装置によれば、好適かつ高精度な色再現が、オペレータの調整感覚によくあった調整で容易に実現される。
【００１５】
本発明の色信号変換装置は、典型的には、上記第１の色信号は、色がシアン、マゼンタ、およびイエローの三原色に分解されてなる各原色成分の組み合わせによって色を表す信号であって、
上記色信号変換部が、シアン、マゼンタ、およびイエローの三原色で色を表す第１の色信号を、シアン、マゼンタ、イエロー、および黒の四色で色を表す第２の色信号に信号変換するものである。
【００１６】
本発明の色信号変換装置は、印刷用の色信号を求める装置として好適である。
【００１７】
また、本発明の色信号変換装置は、相互に異なる複数の色方向について色変換を行う装置として構成することが好ましい。本発明の色信号変換装置のうち、そのように構成された色信号変換装置は、色空間内における、相互に異なる色方向を上記所定の色方向として用いて上記色相強度を算出する複数の色強度算出部を備えるとともに、
上記色信号変換部が、色変換係数と、色相強度と、明度彩度値とに応じた変化量を各色方向毎に求め、各色方向毎に求められた変化量を相互に加算し、その加算結果だけ色が変化するような色変換に相当する信号変換によって第１の色信号を第２の色信号に変換するものであることを特徴とする。
【００１８】
このように、複数の色方向それぞれについて色の変化量を求め、それらの変化量を相互に加算し、その加算結果に対応する信号変換を行う構成を備えると、オペレータが色空間内の複数の色方向それぞれについて色変換係数を調整することによって所望の色変換を実現することができる。
【００１９】
また、本発明の色信号変換装置は、第１の色信号を、ブロック色素の色を三原色として色を表す第３の色信号に変換するブロック色素キャリブレーション部を備え、
上記色相強度算出部が、第３の色信号を用いて色相値を算出し、その色相値に応じて色相強度を算出するものであることが望ましい。
【００２０】
このような第３の色信号からは、測色的な色相を表す色相値を容易に求めることができる。
【００２１】
【発明の実施の形態】
以下、本発明の実施形態について説明する。
【００２２】
図１は、本発明の色信号変換装置の一実施形態を示す図である。
【００２３】
この色信号変換装置１は、例えば、カラー原稿を走査して得られた、原稿の色がＣ，Ｍ，Ｙの三原色に分解された各原色成分の強度の組み合わせからなる色信号ＣＭＹが入力され、Ｃ，Ｍ，Ｙ，Ｋ四色の印刷用分版それぞれの網％を表す色信号ＣＭＹＫを出力する装置であり、ブロック色素キャリブレーション部１０と、色信号処理部２０とを備えている。
【００２４】
ブロック色素キャリブレーション部１０は、入力された色信号ＣＭＹを信号変換して、色の濁りが存在しない理想的な色素であるブロック色素の濃度の組み合わせで色を表す色信号ＣＭＹ0を求めるものである。色信号処理部２０は、ブロック色素の濃度を表す色信号ＣＭＹ0を信号変換して印刷用の色信号ＣＭＹＫを求めるものである。
【００２５】
図２は、色信号処理部２０のブロック構成図である。
【００２６】
色信号処理部２０に入力された色信号ＣＭＹ0は、先ず、レンジ設定回路２１に入力される。以下の表１は、レンジ設定回路２１の仕様を表す表である。
【００２７】
【表１】
0003874976.tif 000002
【００２８】
このレンジ設定回路２１は、カラー原稿上のハイライト（ＨＬ）部における色素濃度の指定値ＤHLC，ＤHLM，ＤHLYおよびシャドウ（ＳＨ）部の色素濃度の指定値ＤSHC，ＤSHM，ＤSHYによってレンジ幅が指定され、以下説明するように、そのレンジ幅に応じた正規化を色信号ＣＭＹ0に施して、正規化された色信号ＣＭＹ1を出力する。
【００２９】
図３は、レンジ設定回路２１の構成図である。
【００３０】
レンジ設定回路２１は、Ｃ，Ｍ，Ｙ三色それぞれ用のレンジ設定器２１Ｃ，２１Ｍ，２１Ｙで構成されており、レンジ設定器２１Ｃ，２１Ｍ，２１Ｙには、色信号ＣＭＹ0が表す各色素濃度値Ｃ0，Ｍ0，Ｙ0が入力される。各レンジ設定器２１Ｃ，２１Ｍ，２１Ｙでは、それぞれ、
Ｃ1＝ＦPAC（Ｃ0）＝（Ｃ0−ＤHLC）／（ＤSHC−ＤHLC）    …（１）
Ｍ1＝ＦPAM（Ｍ0）＝（Ｍ0−ＤHLM）／（ＤSHM−ＤHLM）    …（２）
Ｙ1＝ＦPAY（Ｙ0）＝（Ｙ0−ＤHLY）／（ＤSHY−ＤHLY）    …（３）
なる式により、正規化された色素濃度値Ｃ1，Ｍ1，Ｙ1が求められ、レンジ設定回路２１からは、色素濃度値Ｃ1，Ｍ1，Ｙ1を表す色信号ＣＭＹ1が出力される。
【００３１】
図２に戻って説明を続ける。
【００３２】
レンジ設定回路２１から出力された色信号ＣＭＹ1は、階調変換回路２２と、Ｋ版生成回路２５に入力される。以下の表２には階調変換回路２２の仕様が示されている。
【００３３】
【表２】
0003874976.tif 000003
【００３４】
階調変換回路２２にはＣ，Ｍ，Ｙ三色それぞれのトーンカーブが、トーンカーブのハイライト（ＨＬ）部の修正係数ＰHLC，ＰHLM，ＰHLY、シャドウ（ＳＨ）部の修正係数ＰSHC，ＰSHM，ＰSHY、およびミッド（ＭＤ）部の修正係数ＰMDC，ＰMDM，ＰMDYによって設定される。そして、階調変換回路２２は、それらのトーンカーブを用いて色信号ＣＭＹ1を階調変換して色信号ＣＭＹ2を求める。
【００３５】
階調変換回路２２によって求められた色信号ＣＭＹ2は、ＵＣＲ演算を行うＵＣＲ回路２３に入力されて、オペレータにより設定されたパラメータ値に応じて、色信号ＣＭＹ2から差し引かれるグレー成分値ＣＭＹuが求められる。求められたグレー成分値ＣＭＹuは、階調変換回路２２から出力された色信号ＣＭＹ2から減算され、色信号ＣＭＹ3が生成される。
【００３６】
グレー成分が差し引かれた色信号ＣＭＹ3は、グレーバランス回路２４に入力され、色信号ＣＭＹ3のグレーバランスが、印刷用インクの発色特性に基づいた、網％値のグレーバランスに修正される。そして、その色信号ＣＭＹ3のグレーバランスが修正されることにより、その色信号ＣＭＹ3が、Ｃ，Ｍ，Ｙ，Ｋ四色それぞれの網％値のうちのＣ，Ｍ，Ｙ三色分の網％値に変換されて出力される。
【００３７】
一方、レンジ設定回路２１から出力された色信号ＣＭＹ1が入力されたＫ版生成回路２５は、色信号ＣＭＹ1が表す色素濃度値Ｃ1，Ｍ1，Ｙ1のうちの最少値を求めることにより、色信号ＣＭＹ1が表す色のグレー成分値Ｋaを求める。そして、Ｋ版生成回路２５によって求められたグレー成分値ＫaがＫ版カーブ回路２６に入力され、グレー成分のうちＫ版で置き換える割合をグレー成分値Ｋaの関数として表すＫ版カーブが用いられて、グレー成分値ＫaがＫ版用の網％値に変換される。
【００３８】
この図２に示す色信号処理部２０には、上述したカラーコレクション演算を行う、後述するように構成されたカラーコレクション回路２７が備えられており、このカラーコレクション回路２７には、Ｒ，Ｙ，Ｇ，Ｃ，Ｂ，Ｍの各色方向についての色変化量を調整するためのカラーコレクション係数が、Ｃ，Ｍ，Ｙ，Ｋ四色の各分版毎に設定され、階調変換回路２２によって求められた色信号ＣＭＹ2が入力される。そして、カラーコレクション回路２７によって、色信号ＣＭＹ2とカラーコレクション係数とに応じた色変化量に相当する、Ｃ，Ｍ，Ｙ，Ｋ四色それぞれの網％値の修正量を表す色修正信号△ＣＭＹＫが求められる。この色修正信号△ＣＭＹＫのうちのＣ，Ｍ，Ｙ三色分は、グレーバランス回路２４から出力された網％値に加算されて、色変換後の色を再現するＣ，Ｍ，Ｙ三色分の網％値ＣＭＹ4が生成される。一方、色修正信号△ＣＭＹＫのうちの黒色分は、Ｋ版カーブ回路２６から出力されたＫ版用の網％値に加算されて、色変換後の色を再現するＫ版用の網％値Ｋ4が生成される。
【００３９】
このように生成されたＣ，Ｍ，Ｙ三色分の網％値ＣＭＹ4およびＫ版用の網％値Ｋ4は、それぞれ、％−％変換回路２８，２９に入力され、網％値の微量修正が施されて、印刷用の網％値ＣＭＹP，ＫPが出力される。このように出力された網％値ＣＭＹP，ＫPに従って印刷用の分版が作成されて印刷されることによって、好適な色が印刷物上に再現される。
【００４０】
以下、カラーコレクション回路２７の構成について説明する。
【００４１】
図４は、カラーコレクション回路２７の構成図である。
【００４２】
カラーコレクション回路２７には、Ｒ，Ｙ，Ｇ，Ｃ，Ｂ，Ｍの各色方向について網％値の修正量を求める各色方向用の修正量算出回路３０Ｒ，３０Ｙ，３０Ｇ，…３０Ｍが備えられており、カラーコレクション回路２７に入力された色信号ＣＭＹ2は、各修正量算出回路３０Ｒ，３０Ｙ，３０Ｇ，…３０Ｍに入力される。また、このカラーコレクション回路２７には、それらの修正量算出回路３０Ｒ，３０Ｙ，３０Ｇ，…３０Ｍによって算出された修正量を加算して、Ｃ，Ｍ，Ｙ，Ｋの各版についての網％値修正量を表す色修正信号△ＣＭＹＫを生成する加算回路４０も備えられている。
【００４３】
各修正量算出回路３０Ｒ，３０Ｙ，３０Ｇ，…３０Ｍの構成は互いに同等である。以下、修正量算出回路の構成について、Ｃ色用の修正量算出回路３０Ｃを代表させて説明する。
【００４４】
図５は、修正量算出回路３０Ｃの構成図である。
【００４５】
この修正量算出回路３０Ｃには、色相検出回路３１と、色相強度関数回路３２と、明度彩度検出回路３３と、明度彩度強度関数回路３４と、強度乗算回路３５と、カラーコレクション係数乗算回路３６が備えられており、修正量算出回路３０Ｒに入力された色信号ＣＭＹ2は色相検出回路３１および明度彩度検出回路３３に入力される。
【００４６】
色相検出回路３１および色相強度関数回路３２は、本発明にいう色相強度算出部の一例を構成しており、Ｃ色用の修正量算出回路３０ＣではＣ色方向が本発明にいう所定の色方向に相当する。色相検出回路３１によって色信号ＣＭＹ2が表す色の測色的な色相を表す色相値Ｈが求められ、その色相値Ｈが色相強度関数回路３２に入力され、色相値Ｈに応じて、色相値Ｈに相当する色方向とＣ色方向との近さを表す色相強度が求められる。
【００４７】
また、明度彩度検出回路３３は、本発明にいう明度彩度値算出部の一例であり、後述するように、入力された色信号ＣＭＹ2が表す色素濃度値Ｃ2，Ｍ2，Ｙ2の大小関係に応じて、本発明にいう明度彩度値の一例である明度Ｌおよび彩度Ｓを求める。明度彩度検出回路３３によって求められた明度Ｌおよび彩度Ｓは、明度彩度強度関数回路３４に入力され、所定の明度彩度強度関数が用いられて、その明度Ｌおよび彩度Ｓに応じた明度彩度強度が得られる。
【００４８】
本発明にいう色信号変換部は、ここでは、図２に示す色信号処理部２０のうち、上述した色相検出回路３１、色相強度関数回路３２、および明度彩度検出回路３３を除いた残り全体で構成されていると観念される。
【００４９】
図５に示す色相強度関数回路３２によって求められた色相強度と、明度彩度強度関数回路３４によって得られた明度彩度強度は、強度乗算回路３５に入力されて互いに乗算される。また、カラーコレクション係数乗算回路３６には、強度乗算回路３５の乗算結果と、オペレータによって設定されたカラーコレクション係数が入力されて互いに乗算され、その結果、網％値の修正量ΔＣＭＹＫが求められる。
【００５０】
図６は、色相検出回路３１の構成図である。
【００５１】
ここでは、色相検出回路３１は、輝度変換回路３１１と、三刺激値変換回路３１２と、色相変換回路３１３で構成されており、色相検出回路３１に入力された色信号が表す色素濃度値Ｃｉｎ，Ｍｉｎ，Ｙｉｎは、先ず、輝度変換回路３１１によってレッド，グリーン，ブルー三色それぞれの輝度値Ｒ，Ｇ，Ｂに変換される。輝度変換回路３１１による変換は以下の式（４）〜（６）で表される変換である。
【００５２】
Ｒ＝ＦL（Ｃｉｎ）      …（４）
Ｇ＝ＦL（Ｍｉｎ）      …（５）
Ｂ＝ＦL（Ｙｉｎ）      …（６）
ここで、関数ＦLは、Ｒ，Ｇ，Ｂ三色に共通の関数であり、以下に示す表３には、関係式Ｉｏｕｔ＝ＦL（Ｄｉｎ）を満たす入力値Ｄｉｎと出力値Ｉｏｕｔの一例が示されている。
【００５３】
【表３】
0003874976.tif 000004
【００５４】
このように輝度変換回路３１１によって変換された輝度値Ｒ，Ｇ，Ｂは三刺激値変換回路３１２に入力され、その輝度値Ｒ，Ｇ，Ｂが、以下に示す式（７）に従って、三刺激値Ｘ，Ｙ，Ｚに変換される。
【００５５】
【数１】
0003874976.tif 000005
【００５６】
この式（７）に示す３×３行列Ｊの一例を式（８）に示す。
【００５７】
【数２】
0003874976.tif 000006
【００５８】
図１に示すブロック色素キャリブレーション部１０によって色素濃度値がブロック色素の濃度に変換されているために、式（８）に示すような行列Ｊを使って、式（７）に示すように簡単に三刺激値Ｘ，Ｙ，Ｚを求めることができる。
【００５９】
このように三刺激値変換回路３１２によって得られた三刺激値Ｘ，Ｙ，Ｚは色相変換回路３１３に入力され、その三刺激値Ｘ，Ｙ，Ｚから、以下に示す式（９）〜（１１）に従って測色的な色相値Ｈが求められる。
【００６０】
ａ*＝５００［（Ｘ／Ｘ0）1/3−（Ｙ／Ｙ0）1/3］        …（９）
ｂ*＝２００［（Ｙ／Ｙ0）1/3−（Ｚ／Ｚ0）1/3］        …（１０）
Ｈ＝［ｔａｎ-1｛ｂ*／ａ*｝］／６０                    …（１１）
但し、関数ｔａｎ-1｛ｂ*／ａ*｝の値は、座標（ａ*，ｂ*）が存在する象限も考慮されて０以上３６０未満の値として求められ、色相値Ｈは０以上６未満の値となる。
【００６１】
以上説明したように色相検出回路３１によって測色的な色相値Ｈが求められ、上述したように、この色相値Ｈが、図５に示す色相強度関数回路３２に入力され、その色相値Ｈに応じて色相強度が求められる。この色相強度関数回路３２では、色相値Ｈと色相強度との対応関係を表す色相強度関数が用いられて色相強度が求められる。
【００６２】
図７は、色相強度関数回路３２で用いられる色相強度関数の一例を示すグラフである。
【００６３】
この図には、Ｃ色についての色相強度関数のみならず、Ｒ，Ｙ，Ｇ，Ｃ，Ｂ，Ｍの各色についての色相強度関数３２１Ｒ，３２１Ｙ，…，３２１Ｍが示されている。
【００６４】
この図７のグラフの横軸は色相値Ｈを示している。上述したように色相値Ｈは０以上６未満の値であり、Ｈ＝０の時の色相がＲ色方向に相当する。同様に、Ｈ＝１がＹ色方向、Ｈ＝２がＧ色方向、Ｈ＝３がＣ色方向、Ｈ＝４がＢ色方向、Ｈ＝５がＭ色方向に相当している。また、仮にＨ＝６を考えると、再びＲ色方向に相当することとなる。つまり、色相値Ｈが０から６まで変化するとＲ，Ｙ，Ｇ，Ｃ，Ｂ，Ｍの各色方向を一巡することとなる。
【００６５】
また、この図７のグラフの縦軸は、色相値Ｈが示す色方向と所定色方向との近さを表す色相強度を示しており、色相強度が大きいほど色方向が近いことを示している。色相強度関数３２１Ｒ，３２１Ｙ，…，３２１Ｍは、それぞれ、Ｒ，Ｙ，Ｇ，Ｃ，Ｂ，Ｍの各所定色方向についての色相強度を表している。例えば、Ｃ色についての色相強度関数３２１Ｃは、Ｇ色方向からＢ色方向までの色相範囲を除いた色方向について値「０」であり、Ｃ色方向に相当する色相値に対して最大値を示し、Ｇ色方向およびＢ色方向に相当する色相値に対して最低値を示す関数である。
【００６６】
このような色相強度関数３２１Ｒ，３２１Ｙ，…，３２１Ｍが用いられて、色相値Ｈから色相強度が求められる。求められた色相強度は、測色的な色相を表す色相値Ｈから求められたものであるので、人の視覚特性によくあった色相強度となっている。
【００６７】
図５に示す明度彩度検出回路３３では、以下に示す式（１２）〜（１４）に従って明度Ｌおよび彩度Ｓが求められる。
【００６８】
Ｌ＝０．９×（１．０−Ｑｍａｘ）        …（１２）
Ｓ＝０．０                          ，（Ｑｍａｘ≦−０．１）…（１３）
Ｓ＝１．０−（Ｑｍｉｎ＋０．１）／（Ｑｍａｘ＋０．１）
，（Ｑｍａｘ＞−０．１）…（１４）ここで、Ｑｍｉｎ、Ｑｍａｘは、明度彩度検出回路３３に入力された色信号ＣＭＹ2が表す色素濃度値Ｃ2，Ｍ2，Ｙ2のうちの最小値、最大値であり、明度Ｌおよび彩度Ｓの双方とも、０．０以上１．０以下の値に制限されている。このように求められた明度Ｌおよび彩度Ｓが明度彩度強度関数回路３４に入力され、明度Ｌおよび彩度Ｓを変数とする２変数関数である、色変換の加減量を表す所定の明度彩度強度関数が用いられて明度彩度強度が求められる。このように求められた明度彩度強度は、上述したように強度乗算回路３５に入力されて色相強度と乗算され、その結果、高精度な色再現が実現される。
【００６９】
表４には、カラーコレクション回路２７に入力された色信号Ｃｉｎ，Ｍｉｎ，Ｙｉｎの一例と、その色信号が表す色に相当する三刺激値Ｘ，Ｙ，Ｚと、その三刺激値に応じて色相検出回路３１で求められた色相値Ｈと、入力された色信号の大小関係に応じて明度彩度検出回路３３で求められた明度Ｌおよび彩度Ｓが示されており、さらに参考として、三刺激値Ｘ，Ｙ，Ｚから算出される測色的な明度Ｌと彩度Ｓも示されている。この表４に示された色信号Ｃｉｎ，Ｍｉｎ，Ｙｉｎの一例は、いずれも、ある特定の色方向について色信号が取り得る最大値となっている。
【００７０】
【表４】
0003874976.tif 000007
【００７１】
表４に示すように、測色的な明度Ｌと彩度Ｓは色信号毎に異なる値となっている。しかし、網％値の修正量を高精度に求めるためには、この表４に示すような各色信号Ｃｉｎ，Ｍｉｎ，Ｙｉｎに対する明度Ｌや彩度Ｓとして、色信号が表す色の色相に関わらず同一の値が得られることが必要であることが従来から知られており、明度彩度検出回路３３で求められた明度Ｌおよび彩度Ｓは、各色信号Ｃｉｎ，Ｍｉｎ，Ｙｉｎについて同一の値となっている。この結果、好適な色再現が高精度に実現されることとなる。
【００７２】
【発明の効果】
以上説明したように、本発明の色信号変換装置によれば、好適な色再現をオペレータの調整感覚によくあった調整で容易かつ高精度に実現することができる。
【図面の簡単な説明】
【図１】本発明の色信号変換装置の一実施形態を示す図である。
【図２】色信号処理部のブロック構成図である。
【図３】レンジ設定回路の構成図である。
【図４】カラーコレクション回路の構成図である。
【図５】修正量算出回路の構成図である。
【図６】色相検出回路の構成図である。
【図７】色相強度関数回路で用いられる色相強度関数の一例を示すグラフである。
【符号の説明】
色信号変換装置１
１０    ブロック色素キャリブレーション部
２０    色信号処理部
２１    レンジ設定回路
２１Ｃ，２１Ｍ，２１Ｙ    レンジ設定器
２２    階調変換回路
２３    ＵＣＲ回路
２４    グレーバランス回路
２５    Ｋ版生成回路
２６    Ｋ版カーブ回路
２７    カラーコレクション回路
２８，２９    ％−％変換回路
３０Ｒ，３０Ｙ，３０Ｇ，…３０Ｍ    修正量算出回路
３１    色相検出回路
３２    色相強度関数回路
３３    明度彩度検出回路
３４    明度彩度強度関数回路
３５    強度乗算回路
３６    カラーコレクション係数乗算回路
４０    加算回路
３１１    輝度変換回路
３１２    三刺激値変換回路
３１３    色相変換回路
【図１】
0003874976.tif 000008
【図２】
0003874976.tif 000009
【図３】
0003874976.tif 000010
【図４】
0003874976.tif 000011
【図５】
0003874976.tif 000012
【図６】
0003874976.tif 000013
【図７】
0003874976.tif 000014